(57)【要約】【課題】筐体に設けられた操作子の位置検出を非接触で行い、筐体内部のスペースの有効利用および筐体の小型化とともに筐体内部に対する浸水防止性能の向上を図ること。【解決手段】本発明は、筒状の筐体２０と、筐体２０内に設けられるコンテンツ再生部と、筐体２０の外周方向に回転可能に設けられるとともに、筐体の軸方向に移動可能に設けられるシャトルスイッチ８ｄと、シャトルスイッチ８ｄに設けられる磁石と、筐体２０内に配置され、磁石から磁束の密度を非接触で検出する複数のホール素子と、シャトルスイッチ８ｄの移動によって複数のホール素子にて検出される磁束密度に基づいて操作子の位置を判別し、その判別した位置に応じてコンテンツ再生部での再生に関する制御を行う制御部とを備えるコンテンツ再生装置２である。【選択図】図４
2008033092.tif 000002
【特許請求の範囲】
【請求項１】
筒状の筐体と、
前記筐体内に設けられるコンテンツ再生部と、
前記筐体の外周方向に回転可能に設けられるとともに、前記筐体の軸方向に移動可能に設けられる操作子と、
前記操作子に設けられる磁石と、
前記筐体内に配置され、前記磁石から磁束の密度を非接触で検出する複数のホール素子と、
前記操作子の移動によって前記複数のホール素子にて検出される磁束密度に基づいて前記操作子の位置を判別し、その判別した位置に応じて前記コンテンツ再生部での再生に関する制御を行う制御部と
を備えることを特徴とするコンテンツ再生装置。
【請求項２】
前記複数のホール素子は４つのホール素子から構成され、
前記各ホール素子は、前記操作子の回転方向および軸方向における移動の軸とずれた位置に配置される
ことを特徴とする請求項１記載のコンテンツ再生装置。
【請求項３】
前記磁石の前記筐体と反対側にヨーク部材が設けられている
ことを特徴とする請求項１記載のコンテンツ再生装置。
【請求項４】
前記筐体に設けられる穴部と、該穴部を塞ぐ蓋部との間には浸水防止部材が設けられている
ことを特徴とする請求項１記載のコンテンツ再生装置。
【請求項５】
前記制御部は、前記操作子の回転方向に沿った複数の位置と軸方向に沿った複数の位置とによるマトリクス状の位置を判別する
ことを特徴とする請求項１記載のコンテンツ再生装置。
【請求項６】
前記制御部は、前記複数のホール素子から出力される検出値と所定の閾値との比較結果に応じて前記操作子の位置を判別する
ことを特徴とする請求項１記載のコンテンツ再生装置。
【請求項７】
前記操作子は復帰位置を備えており、移動のための外力が加わらない状態では前記復帰位置に戻っている
ことを特徴とする請求項１記載のコンテンツ再生装置。
【請求項８】
筒状の筐体の外周方向に回転可能に設けられるとともに、前記筐体の軸方向に移動可能に設けられる操作子の位置を検出し、前記筐体内に設けられるコンテンツ再生部での再生に関する制御を行う制御方法において、
前記操作子の移動に伴い、前記操作子に設けられた磁石から磁束の密度を前記筐体内に配置された複数のホール素子にて検出する工程と、
前記検出した磁束密度に基づいて前記操作子の位置を判別し、その判別した位置に応じて前記コンテンツ再生部での再生に関する制御を行う工程と
を備えることを特徴とする制御方法。
【請求項９】
筒状の筐体と、
前記筐体内に設けられる電子回路と、
前記筐体の外周方向に回転可能に設けられるとともに、前記筐体の軸方向に移動可能に設けられる操作子と、
前記操作子に設けられる磁石と、
前記筐体内に配置され、前記磁石から磁束の密度を非接触で検出する複数のホール素子と、
前記操作子の移動によって前記複数のホール素子にて検出される磁束密度に基づいて前記操作子の位置を判別し、その判別した位置に応じて前記電子回路の制御を行う制御部と
を備えることを特徴とする電子機器。
【発明の詳細な説明】
【技術分野】
【０００１】
本発明は、記憶されたコンテンツを所望の機能に基づき再生するコンテンツ再生装置およびその制御方法ならびに電子機器に関する。
【背景技術】
【０００２】
近年、半導体メモリを利用して音楽や写真、動画といったコンテンツを記憶しておき、ユーザの任意操作によって再生する小型で携帯性に優れたコンテンツ再生装置が多く開発されている。特に、半導体メモリの大容量化や低コスト化に伴い、非常に小型でありながら大量のコンテンツを記憶できる機器も登場し、益々利用の幅が広がってきている。
【０００３】
このような機器では、様々なコンテンツを大量に記憶できるため、その中からユーザの好みのデータを迅速に見つけ出し、再生できるようにするため、様々な再生機能が組み込まれている。例えば、ＣＤ（Compact Disc）等から音楽データを取り込み、記憶している場合には、アーティスト名やアルバム単位で再生対象を検索して再生する機能や、ユーザが任意に設定したプレイリストなどの範囲によって再生対象を絞り込み再生する機能、また、毎回異なる再生順で再生を行うようにするシャッフル再生機能なども選択できるようになっている。
【０００４】
従来、コンテンツ再生装置における再生対象や再生機能の選択、決定を容易に行うための機器として、ダイヤル式の操作子を備えた機器が特許文献１に開示されている。
【０００５】
【特許文献１】特開２００３−８４９０２号公報
【発明の開示】
【発明が解決しようとする課題】
【０００６】
しかしながら、ダイヤル式の操作子によってコンテンツ再生対象等を選択する機構においては、本体筐体内に電子スイッチが配置され、操作子の動作を機械的に電子スイッチに伝達して動作の検出を行っているため、少なからずリンク機構が必要となり、本体筐体の小型化やスペースの有効利用を図るのが困難となっている。しかも、操作子と本体筐体内部との間にリンク機構等を設ける必要から、リンク機構を通すための穴を本体筐体に設けなければならず、十分な防水性を得られないという問題が生じている。
【課題を解決するための手段】
【０００７】
本発明はこのような課題を解決するために成されたものである。すなわち、本発明は、筒状の筐体と、筐体内に設けられるコンテンツ再生部と、筐体の外周方向に回転可能に設けられるとともに、筐体の軸方向に移動可能に設けられる操作子と、操作子に設けられる磁石と、筐体内に配置され、磁石から磁束の密度を非接触で検出する複数のホール素子と、操作子の移動によって複数のホール素子にて検出される磁束密度に基づいて操作子の位置を判別し、その判別した位置に応じてコンテンツ再生部での再生に関する制御を行う制御部とを備えるコンテンツ再生装置である。
【０００８】
このような本発明では、筒状の筐体に対して回転可能および軸方向移動可能に操作子が設けられており、この操作子の動作を磁石と複数のホール素子とによって非接触で検出することから、操作子の動作を筐体内部へ伝えるリンク機構が不要となる。このため、筐体にリンク機構を通すための穴も必要なく、防水性を高める機能を容易に実現できるようになる。また、操作子の回転方向および軸方向への移動を複数のホール素子で検出するため、操作子の数多くのポジションを検出でき、多種多様なコンテンツ再生機能に対応できるようになる。
【０００９】
また、本発明は、筒状の筐体の外周方向に回転可能に設けられるとともに、筐体の軸方向に移動可能に設けられる操作子の位置を検出し、筐体内に設けられるコンテンツ再生部での再生に関する制御を行う制御方法において、操作子の移動に伴い、操作子に設けられた磁石から磁束の密度を筐体内に配置された複数のホール素子にて検出する工程と、検出した磁束密度に基づいて操作子の位置を判別し、その判別した位置に応じてコンテンツ再生部での再生に関する制御を行う工程とを備える制御方法である。
【００１０】
このような本発明では、筒状の筐体に対して回転可能および軸方向移動可能に設けられた操作子の位置を検出するにあたり、磁石と複数のホール素子とによって非接触で検出することから、リンク機構等を用いることなく操作子の位置を非接触で的確に検出できるようになる。
【００１１】
また、本発明は、筒状の筐体と、筐体内に設けられる電子回路と、筐体の外周方向に回転可能に設けられるとともに、筐体の軸方向に移動可能に設けられる操作子と、操作子に設けられる磁石と、筐体内に配置され、磁石から磁束の密度を非接触で検出する複数のホール素子と、操作子の移動によって複数のホール素子にて検出される磁束密度に基づいて操作子の位置を判別し、その判別した位置に応じて電子回路の制御を行う制御部とを備える電子機器である。
【００１２】
このような本発明では、筒状の筐体に対して回転可能および軸方向移動可能に操作子が設けられており、この操作子の動作を磁石と複数のホール素子とによって非接触で検出することから、操作子の動作を筐体内部へ伝えるリンク機構が不要となる。このため、筐体にリンク機構を通すための穴も必要なく、防水性を高める機能を容易に実現できるようになる。また、操作子の回転方向および軸方向への移動を複数のホール素子で検出するため、操作子の数多くのポジションを検出でき、電子回路に対する多様な制御を行うことができるようになる。
【００１３】
ここで、複数のホール素子として４つのホール素子で構成し、各ホール素子を、操作子の回転方向および軸方向における移動の軸とずれた位置に配置すると、操作子の位置による複数のホール素子の感度差を小さくでき、より的確な位置検出を行うことができるようになる。
【００１４】
さらに、操作子に設ける磁石の筐体と反対側にヨーク部材を設けることで、ヨーク部材側への磁束を減少させ、ホール素子側への磁束密度を増大できるようになる。
【００１５】
また、本発明のように、筒状の筐体を利用して、この筐体に設けた操作子の位置を非接触で検出する構成のため、筐体に設ける穴を必要最小限（例えば、外部機器との接続を行うための端子部分や表示パネルを備える場合にはその部分）にすることができ、この穴と穴を塞ぐ蓋との間に浸水防止部材を配置しやすい構成を実現できるようになる。
【発明の効果】
【００１６】
したがって、本発明によれば、操作子の位置検出を非接触で行うため、操作子の動作を筐体内部に伝えるリンク機構が不要となり、筐体内部のスペースを有効利用できるとともに、筐体の小型化を図ることが可能となる。また、筐体内部に対する浸水防止性能の向上を図ることができ、防水性の優れた機器を提供することが可能となる。
【発明を実施するための最良の形態】
【００１７】
以下、本発明の実施の形態を図に基づき説明する。図１は、本実施形態に係るコンテンツ再生装置を適用する記録再生システムの概要を示した図である。図１において、記録再生システム１としては、コンテンツ再生装置２、パーソナルコンピュータ３、サーバ装置４、ネットワーク５、および光ディスク１００を少なくとも含んで構成される。
【００１８】
先ず、コンテンツ再生装置２としては、ポータブル用途のものを想定している。また、記録媒体として例えばフラッシュメモリなどの半導体メモリを内蔵した構成が採られる。また、パーソナルコンピュータ３は情報処理装置であり、例えばＵＳＢ（Universal Serial Bus）ケーブル等を介してコンテンツ再生装置２との間でのデータ通信を行うことが可能とされる。また、ネットワーク５を介して接続された外部装置（サーバ装置４）との間でもデータ通信を行うことが可能とされる。
【００１９】
この記録再生システム１においては、パーソナルコンピュータ３において光ディスク１００などから取り込んだコンテンツをコンテンツ再生装置２にダウンロードし、これを再生出力するという使用形態を想定している。
【００２０】
この場合、光ディスク１００としては、パッケージメディアとして市販される音楽ＣＤ（Compact Disc）とされ、コンテンツとしてはオーディオデータであるとする。なお、コンテンツはオーディオデータ以外であっても、画像データや動画データ、その他アプリケーションソフトウェアで適用できる各種フォーマットのデータなどが挙げられるが、本実施形態では説明を分かりやすくするためオーディオデータを例とする。
【００２１】
パーソナルコンピュータ３においては、記録再生システム１の使用形態を可能とするためのアプリケーションソフト（コンテンツ管理アプリケーション３００ａ）がインストールされる。
【００２２】
このコンテンツ管理アプリケーション３００ａは、光ディスク１００からのコンテンツの取り込み、取り込んだコンテンツの編集、およびコンテンツのコンテンツ再生装置２へのダウンロードまでを一括して管理するアプリケーションである。
【００２３】
例えばユーザは、このコンテンツ管理アプリケーション３００ａを起動させてその指示に従った操作を行うことで、光ディスク１００からパーソナルコンピュータ３へのコンテンツの取り込み、および取り込んだコンテンツの編集（例えばアルバム単位での区分けやプレイリストの作成、コンテンツの削除など）等を行うことが可能とされる。
【００２４】
また、このコンテンツ管理アプリケーション３００ａとしては、コンテンツ再生装置２がパーソナルコンピュータ３に接続されたときに、操作に応じパーソナルコンピュータ３側に蓄積されているコンテンツをコンテンツ再生装置２側にダウンロードする機能も備えている。
【００２５】
また、このコンテンツ管理アプリケーション３００ａとしては、光ディスク１００からのコンテンツを例えばＡＴＲＡＣ（Adaptive TRansform Acoustic Cording）方式やＭＰ３（MPEG Audio Layer3）方式などの所定の圧縮符号化方式により圧縮符号化して記録する機能も備えており、これによってコンテンツ再生装置２により多くのコンテンツを記録させることができるように図られている。
【００２６】
さらに、コンテンツ管理アプリケーション３００ａによっては、光ディスク１００から取り込んだコンテンツについての楽曲名（トラック名）や収録アルバム名、アーティスト名などといったコンテンツの付加情報を取得することが可能とされている。
【００２７】
ここで、従来より、光ディスク１００から抽出した情報を元に、その収録曲についての付加情報を取得するということが行われている。例えば、ＣＤのＴＯＣ（Table Of Contents）データには、ＣＤに収録されているトラック数（曲数）、各トラックのアドレス（絶対時間情報）、総演奏時間などが記録されている。これは通常、同一タイトルのＣＤにおいて同一のデータとなるが、異なるタイトルのＣＤにおいて全てが一致することは、まずあり得ない。従って、ＴＯＣデータからＣＤタイトルに固有のコードを生成することができ、この固有コードに対応づけて各タイトルの各トラックごとの付加情報を格納した楽曲情報データベースを構築しておくことで、対象とするＣＤから生成した固有コードを元に、その収録曲についての付加情報をこのデータベースから取得することができる。
【００２８】
この場合、上記楽曲情報データベースとしては、図示するようにネットワーク５に接続されたサーバ装置４において構築されているとする（図中楽曲情報データベース４ａ）。
【００２９】
コンテンツ管理アプリケーション３００ａは、装填された光ディスク１００のコンテンツの取り込みが指示されたことなどに応じて、この装填された光ディスク１００のＴＯＣデータに基づいて上記固有コードを生成する。そして、サーバ装置４にアクセスして、この固有コードを検索条件として楽曲情報データベース４ａを照会することで、装填された光ディスク１００に収録されるコンテンツに対応する付加情報を取得する。
【００３０】
その上で、光ディスク１００から取り込んだコンテンツと取得した付加情報とがそれぞれ対応づけられて管理されるように管理情報を生成してコンテンツを管理するようにされる。
【００３１】
なお、このようにして光ディスク１００に記録されたコンテンツに対応する付加情報を楽曲情報データベースから取得する技術としては既に公知のものであり、本明細書におけるその具体的な動作についての説明は省略する。
【００３２】
また、ここでは楽曲情報データベース４ａはネットワーク５を介して接続されたサーバ装置４において構築される場合のみについて示しているが、パーソナルコンピュータ３が楽曲情報データベース４ａの全部又は一部を備えるように構成することもできる。
【００３３】
コンテンツ再生装置２では、上記のようにしてパーソナルコンピュータ３側で蓄積され、付加情報が対応付けられたコンテンツがダウンロードされ、これが内蔵する記録媒体に記録される。これによりコンテンツ再生装置２においては、記録媒体に記録されたコンテンツについての再生を行うことが可能とされると共に、コンテンツについてのトラック名やアルバム名、アーティスト名などといった付加情報の表示を行うことが可能とされる。
【００３４】
図２は、図１に示したパーソナルコンピュータ３の内部構成を示すブロック図である。図２において、先ずＣＰＵ２１０は、起動されたプログラムに基づいてパーソナルコンピュータ３全体の制御、演算処理を行う。例えばユーザに対する入出力動作、ＨＤＤ３００へのデータファイルの格納や管理情報の作成・更新等を行う。ＣＰＵ２１０は、図示するバス３６０を介して各部との間で制御信号やデータのやりとりを行うようにされる。
【００３５】
メモリ部２２０は、ＣＰＵ２１０が処理に用いるＲＯＭ、ＲＡＭ、フラッシュメモリなどを包括的に示している。メモリ部２２０におけるＲＯＭには、ＣＰＵ２１０の動作プログラム、プログラムローダー等が記憶される。また、メモリ部２２０におけるフラッシュメモリには、各種演算係数、プログラムで用いるパラメータ等が記憶される。さらに、メモリ部２２０におけるＲＡＭには、プログラムを実行する上でのデータ領域、タスク領域が一時的に確保される。
【００３６】
ＵＳＢ（Universal Serial Bus）インタフェース２３０は、ＵＳＢケーブルを介して接続された外部機器との間でデータ通信を行うために備えられる。特に、この場合のＵＳＢインタフェース２３０を介しては、図２に示したコンテンツ再生装置２との間でオーディオデータ等の各種データの送受信が行われる。
【００３７】
ＨＤＤ３００においては、上述のようにしてＣＰＵ２１０の制御に基づきデータファイルの格納や管理情報の作成・更新等が行われる。例えば、図１にて述べたようにして光ディスク１００から取り込んだコンテンツについては、このＨＤＤ３００に格納される。また、先にも述べたようにこの場合のコンテンツは、楽曲情報データベース４ａから取得した付加情報と対応付けられて管理されるもとなる。このようにコンテンツを管理するためのコンテンツ管理情報もＨＤＤ３００に記録される。ここでは、ＨＤＤ３００に記録されるこれらコンテンツとコンテンツ管理情報とを、コンテンツベース３００ｂとして示している。
【００３８】
また、ＨＤＤ３００に対しては、パーソナルコンピュータ３が各種の機能を実現するためのプログラム（アプリケーション）も格納される。特に、本実施の形態の場合では、先の図１においても述べたようにしてコンテンツを管理するためのコンテンツ管理アプリケーション３００ａが格納される。
【００３９】
入力部２５０は、パーソナルコンピュータ３に備えられる図示しないキーボードやマウス、あるいはリモートコマンダー、その他の入力デバイスであって、ユーザが各種操作入力やデータ入力を行う。入力部２５で入力された情報は入力処理部２４０で所定の処理が施され、ＣＰＵ２１０に対して操作又はデータの入力として伝達される。ＣＰＵ２１０は入力された情報に対応して必要な演算や制御を行う。
【００４０】
メディアドライブ２９０は、例えばＣＤ、ＭＤ(Mini Disc：光磁気ディスク)、ＣＤ−Ｒ(Recordable)、ＣＤ−ＲＷ（ReWritable）、ＤＶＤ(Digital Versatile Disc)、ＤＶＤ−Ｒ、ＤＶＤ−ＲＷなどの光ディスク、またはメモリーカード（リムーバブルメディアとしての半導体メモリ装置）等の記録メディアに対応するドライブ機能部であり、これらメディアについての記録再生動作を行うことが可能に構成される。例えばメディアとして、本実施の形態の光ディスク１００のようなＣＤ系のディスクメディアに対応する場合、このメディアドライブ２９０には、例えば光学ヘッド、スピンドルモータ、再生信号処理部、サーボ回路等が備えられるものとなる。
【００４１】
ドライブ制御部２８０は、メディアドライブ２９０に装填されたメディアについての記録再生動作、アクセス動作等を制御する。例えばユーザが入力部２５０を介して装填されたメディアに対する再生操作を行った場合、ＣＰＵ２１０はドライブ制御部２８０にメディアの再生を指示する。するとドライブ制御部２８０は、メディアドライブ２９０に対してアクセス動作や再生動作を実行させるための制御を行う。メディアドライブ２９０では、読み出した再生データをドライブ制御部２８０を介してバス３６０に送出する。
【００４２】
オーディオデータ処理部３３０は、ＣＰＵ２１０の制御に基づき、入力されたオーディオデータについて、イコライジング等の音場処理や音量調整、Ｄ／Ａ変換、増幅等の処理を施し、これをスピーカ部３４０を介して出力する。例えば、メディアドライブ２９０により読み出されたオーディオデータ、又はＨＤＤ３００に格納されたオーディオデータ（コンテンツ）が再生される際には、このオーディオデータがオーディオデータ処理部３３０において処理された後、スピーカ部３４０を介して出力される。
【００４３】
なお、ＨＤＤ３００内のコンテンツベース３００ｂに格納されるコンテンツとしては、所定の圧縮符号化方式により圧縮符号化されている場合があり、その場合、この圧縮符号化データは後述する圧縮符号化・復号化部３５０にて復号化されてからオーディオデータ処理部３３０に供給されることになる。
【００４４】
ディスプレイ２７０は、例えば液晶パネルなどの表示デバイスとされ、ユーザに対して各種情報表示を行う。例えば、ＣＰＵ２１０が各種動作状態や入力状態、通信状態に応じて表示情報を表示処理部２６０に供給すると、表示処理部２６０は供給された表示データに基づいてディスプレイ２７０を駆動して表示動作を実行させる。
【００４５】
また、上記したメディアドライブ２９０に装填されたメディアから、あるいはＨＤＤ３００から映像データが再生された場合には、この再生データについての信号処理を行い、これにより得られた信号に基づいてディスプレイ２７０を駆動することにより映像表示を行わせる。
【００４６】
通信処理部３１０は、ＣＰＵ２１０の制御に基づいて送信データのエンコード処理、受信データのデコード処理を行う。ネットワークインタフェイス３２０は、上記通信処理部３１０でエンコードされた送信データを、図１に示したネットワーク５を介して所定の機器、例えばサーバ装置４に送信する。またネットワーク５を介してサーバ装置４などの外部機器から送信されてきた信号を通信処理部３１０に受け渡す。通信処理部３１０は受信した情報をＣＰＵ２１０に転送する。
【００４７】
圧縮符号化・復号化部３５０は、オーディオデータを所定の圧縮符号化方式により圧縮符号化すると共に、所定の圧縮符号化方式により圧縮符号化されたオーディオデータについての復号化処理を行う。ここでは、圧縮符号化・復号化部３５０がハードウエアとして構成される例を示しているが、その動作はＣＰＵ２１０のソフトウエア処理により実現することもできる。
【００４８】
なお、パーソナルコンピュータ３の構成はこの図３の構成に限られるものではなく、更に多様に考えられる。例えば、マイクロホンや外部のヘッドフォンの接続に用いられる端子や、ＤＶＤの記録再生に対応するビデオ入出力端子や、ライン接続端子、ＳＰＤＩＦ端子等を設けた構成とすることもできる。
【００４９】
図３は、図１に示したコンテンツ再生装置２の内部構成について示したブロック図である。このコンテンツ再生装置２としては、パーソナルコンピュータ３からダウンロードしたコンテンツ等を格納するための記録媒体として、図示するフラッシュメモリ１８を備えるようにされている。この場合、フラッシュメモリ１８の記憶容量としては、例えば数百ＭＢ（メガバイト）から数ＧＢ（ギガバイト）程度であるとする。
【００５０】
また、このコンテンツ再生装置２としては、フラッシュメモリ１８に格納されたコンテンツについての再生機能と共に、図示するチューナＴ１９とアンテナＡ１９とを備え、ＦＭ（Frequency Modulation）放送の受信・選局が可能に構成されている。なお、チューナＴ１９やアンテナＡ１９は必須の構成要件ではなく、必要に応じて備えられているものである。
【００５１】
図３において、コントローラ６は、ＲＯＭ、ＲＡＭ、ＣＰＵを備えたマイクロコンピュータで構成され、起動されたプログラムに基づいてコンテンツ再生装置２全体の制御、演算処理を行う。例えばユーザに対する入出力動作、フラッシュメモリ１８におけるコンテンツ等の記録／再生の制御等を行う。
【００５２】
また、この場合、コントローラ６は、図示するＤＡＣ（Ｄ／Ａコンバータ）６ａとしてのＤ／Ａ変換機能、および音量調節機能を備えるようにされている。
【００５３】
コントローラ６に対しては、アンプ７、操作部８、チューナＴ１９が接続される。アンプ７は、上記したＤＡＣ６ａとしてのコントローラ６によるＤ／Ａ機能および音量調節機能によりＤ／Ａ変換および音量調節が行われたオーディオデータが入力され、これを増幅して図示するヘッドフォン端子ｔHPに供給する。
【００５４】
また、操作部８には、当該コンテンツ再生装置２の筐体外部に表出するようにして設けられた各種操作子が備えられる。コントローラ６は、これら各種操作子に応じた操作信号が入力されると、その操作信号に応じた動作が得られるように必要な各部を制御する。これによりユーザは、これら操作部８が備える各種操作子に対する操作を行ってコンテンツ再生装置２に各種動作を実行させることができるようにされる。
【００５５】
また、チューナＴ１９は、図示するアンテナＡ１９を介して入力されるＦＭ放送信号について受信・選局処理を行い、その結果得られた音声信号をコントローラ６に供給する。コントローラ６はこのようにチューナＴ１９から供給された音声信号について音量調節を行い、これをアンプ７に供給する。
【００５６】
また、コントローラ６に対しては、図示する第１バス１０を介してメモリ９が接続される。このメモリ９は、フラッシュメモリなどの不揮発性メモリとされる。このメモリ９には、コントローラ６の各種演算に用いられる係数やプログラムで用いられるパラメータ等が記憶される。
【００５７】
また、特に本実施の形態の場合、このメモリ９には、コントローラ６が処理動作を実行するための再生・表示プログラム９ａが格納される。また、本実施の形態の場合、このメモリ９にはコントローラ６が処理動作を実行するための更新時プログラム９ｂも格納されている。
【００５８】
なお、これら再生・表示プログラム９ａ、更新時プログラム９ｂとしては、フラッシュメモリ１８、あるいはコントローラ６内部のＲＯＭ等に格納することもできる。
【００５９】
また、コントローラ６に対しては、図示するＤＡＣI/FとＳＩＯとを介してデコーダ１１が接続される。デコーダ１１は、所定の圧縮符号化方式により圧縮符号化されたオーディオデータについての復号化処理を行う。また、このデコーダ１１としては、上記復号化処理により得られたオーディオデータについてのサラウンド処理などの音声信号処理も行うようにされる。
【００６０】
このデコーダ１１からの出力オーディオデータは、ＤＡＣI/Fを介してコントローラ６に供給され、このコントローラ６における先のＤＡＣ６ａとしてのＤ／Ａ変換処理、音量調節処理を経てアンプ７に供給された後、ヘッドフォン端子ｔHPに供給される。なお、コントローラ６は、図示するＳＩＯを介してデコーダ１１に対する各種制御指示を行うようにされる。
【００６１】
また、コントローラ６には、第１バス１０を介してシステムゲートアレイ１２が接続される。このシステムゲートアレイ１２は、オーディオデータやコマンドといった各種データの各部への転送制御を行うためのＬＳＩ（Large Scale Integration）である。
【００６２】
システムゲートアレイ１２は、図示するＣ／ＤI/Fを介してデコーダ１１と接続される。また、システムゲートアレイ１２は、第２バス１３を介して表示制御部１４、ＵＳＢコントローラ１６と接続される。さらに、第３バス１７を介して、フラッシュメモリ１８とも接続される。
【００６３】
表示部１５は、有機ＥＬ（Electro Luminescence）ディスプレイ、液晶ディスプレイなどの表示デバイスであり、ユーザに各種の情報表示を行う。
【００６４】
表示制御部１４は、コントローラ６から第１バス１０、システムゲートアレイ、第２バス１３を介して供給される表示データに基づき、表示部１５を駆動して表示動作を実行させる。
【００６５】
ＵＳＢコントローラ１６は、図示するＵＳＢ端子ｔUSBに接続されたＵＳＢケーブルを介して接続される外部機器（この場合はパーソナルコンピュータ３）との間でデータ通信を行うために備えられる。つまり、ＵＳＢコントローラ１６は、ＵＳＢ通信方式に従って送信データのエンコード処理、受信データのデコード処理を行って外部機器との間でデータ通信を行う。
【００６６】
なお、本実施の形態のコンテンツ再生装置２としては、ＵＳＢマスストレージクラス（ＭＳＣ）に対応しているものとする。これによりコンテンツ再生装置２がパーソナルコンピュータ３側とＵＳＢケーブルを介して接続されたときには、パーソナルコンピュータ３側でコンテンツ再生装置２が外付けのストレージ機器として認識されるようになっている。
【００６７】
ここで、これまでの説明からも理解されるように、パーソナルコンピュータ３側から転送されてくるコンテンツは、このＵＳＢコントローラ１６を介してコンテンツ再生装置２側に入力される。
【００６８】
パーソナルコンピュータ３側からコンテンツが受信されたとき、ＵＳＢコントローラ１６は受信されたコンテンツを第３バス１７経由で直接フラッシュメモリ１８に転送し、その書込動作を実行させる。つまり、パーソナルコンピュータ３側から転送されるコンテンツについては、ＵＳＢコントローラ１６の制御に基づいてフラッシュメモリ１８に記録される。
【００６９】
また、パーソナルコンピュータ３側から転送されるコンテンツ管理情報、および各種リスト（再生回数順リスト、アーティストリンクリスト、リリース年別リスト、プレイリスト）の各情報としても、ＵＳＢコントローラ１６により上記コンテンツの経路と同様の経路によりフラッシュメモリ１８に書き込まれる。
【００７０】
図３では、このようにしてフラッシュメモリ１８に格納されるコンテンツ、コンテンツ管理情報、各種リストの情報を、図示するようにしてコンテンツ１８ａ、コンテンツ管理情報１８ｂ、各種リスト１８ｃと示している。
【００７１】
また、コンテンツ再生装置２へのコンテンツのダウンロード時、パーソナルコンピュータ３からはコマンドも転送される。このようなパーソナルコンピュータ３側からのコマンドについては、ＵＳＢコントローラ１６がこれを第２バス１３→システムゲートアレイ１２→第１バス１０経由でコントローラ６に転送し、コントローラ６がコマンドの内容を解釈するようにされる。コントローラ６はこのコマンドの内容に応じて必要な処理を実行する。
【００７２】
また、フラッシュメモリ１８に記録されたコンテンツ１８ａについての再生時においては、コントローラ６の指示に基づきフラッシュメモリ１８から読み出されたコンテンツ（圧縮符号化オーディオデータ）が第３バス１７を介してシステムゲートアレイ１２に入力される。
【００７３】
システムゲートアレイ１２は、入力されたコンテンツとしての圧縮符号化オーディオデータをＣ／ＤI/Fを介してデコーダ１１に供給する。デコーダ１１では、この圧縮符号化オーディオデータについての復号化処理を行ってオーディオデータを得ると共に、このオーディオデータについて所定の音声信号処理を施し、ＤＡＣI/Fを介してコントローラ６に供給する。
【００７４】
コントローラ６では、供給されたオーディオデータについて先のＤＡＣ６ａとしてのＤ／Ａ変換処理、音量調節処理を施してこれをアンプ７に供給する。アンプ７に供給されたオーディオデータは増幅されてヘッドフォン端子ｔHPに供給される。
【００７５】
また、図４には、図３に示した操作部８が備える主な操作子について説明するための図として、コンテンツ再生装置の外観斜視図を示す。コンテンツ再生装置２の筐体２０は、例えばアルミニウム等の金属によって筒状に構成され、一方端にヘッドフォン端子ｔHPが、他方端にＵＳＢ端子ｔUSBが設けられている。
【００７６】
なお、ＵＳＢ端子ｔUSBは第２キャップ２２ｂによって蓋がされている。一方、ヘッドフォン端子ｔHPには第１キャップ２２ａによってカバーされているが、端子部分には開口が設けられており、そのままヘッドフォンジャックを差し込めるようになっている。
【００７７】
また、筐体２０の上面には一部平坦部分が構成され、ここに表示部１５のための穴部と操作部８のボタンスイッチのための穴部とが設けられている。そして、筐体２０の一部平坦部に筐体カバー２１が覆うよう取り付けられている。筐体カバー２１は透光性を有するプラスチックによって成形され、この筐体カバー２１が取り付けられることで筐体２１の外形と一体となり、全体として円筒形をなす意匠が構成されている。
【００７８】
操作部８としては、DISP/MENUキー８ｂ、PLAY/STOPキー８ｃ、シャトルスイッチ８ｄ、VOL＋キー８ｅ、VOL−キー８ｆが備えられる。DISP/MENUキー８ｂは、表示部１５としてのディスプレイ上の表示情報の切り替え、および、各種設定のためのｍｅｎｕ画面の呼び出しなどを指示するための操作子である。PLAY/STOPキー８ｃは、コンテンツの再生の開始／停止、および各種選択項目の決定を指示するための操作子である。
【００７９】
シャトルスイッチ８ｄは、筐体２０の軸方向に沿ったＰ１、Ｐ２、Ｐ３の３位置へのスライド操作（３スライド操作）と、図中曲線矢印によりそれぞれ示す筐体の外周方向に沿った２方向への回転操作とが可能な操作子とされる。
【００８０】
このシャトルスイッチ８ｄの回転操作として、一方の回転方向への回転操作はＦＦ操作であり、このＦＦ操作によりトラックの先送りやスキップ、各種選択項目の順送り指示などが可能とされる。また、他方の回転方向への回転操作はＦＲ操作であり、このＦＲ操作によりトラックの後戻しや頭出し、各種選択項目の逆送り指示などが可能とされる。
【００８１】
このシャトルスイッチ８ｄの上記３スライド操作として、図示するＰ１の位置はＨＯＬＤ指示となり、シャトルスイッチ８ｄがこのＰ１の位置にスライドされている状態では一切の操作入力が受け付けられない状態となる。
【００８２】
また、Ｐ２の位置はニュートラルな位置であり、シャトルスイッチ８ｄがこの位置にある状態で、上記したＦＦ操作は再生中ではトラックの先送りとなり、停止中ではトラックのスキップ指示となる。一方、ＦＲ操作は再生中ではトラックの後戻りとなり、停止中ではトラックについての頭出し指示となる。なお、以下では、このＰ２の位置についてトラック位置とも呼ぶ。
【００８３】
また、Ｐ３の位置はアルバム位置とされる。シャトルスイッチ８ｄがこのアルバム位置にスライドされている状態で且つ再生中であるとき、ＦＦ操作はアルバム単位（またはプレイリスト単位）でのスキップ指示となる。つまり、予め再生中のトラックが属するアルバムの次に再生されるべきとして決定されたアルバムの先頭トラックへの順送り指示となる。また、この場合のＦＲ操作としては、アルバム単位（プレイリスト単位）での逆送り操作となる。すなわち、再生中のトラックが属するアルバムの、再生順序的に前とされるアルバムの先頭トラックへの逆送り指示となる。
【００８４】
また、VOL＋キー８ｅ、VOL−キー８ｆは音量調節指示のための操作子であり、VOL＋キー８ｅは音量ｕｐ、VOL−キー８ｆは音量ｄｏｗｎを指示するための操作子となる。
【００８５】
本実施形態では、筐体２０に対してスライドおよび回転移動できる操作子であるシャトルスイッチ８ｄの位置を筐体２０の内部で非接触にて検出するため、磁石と複数のホール素子とを利用している。すなわち、シャトルスイッチ８ｄの筐体２０側に磁石が取り付けられ、筐体２０の内部にはその磁石から磁束の密度を検出する複数のホール素子が配置されている。この磁石および複数のホール素子によるシャトルスイッチ８ｄの位置検出については後述する。
【００８６】
図５は、本実施形態に係るコンテンツ再生装置の分解斜視図、図６は、本実施形態に係るコンテンツ再生装置の上方側から見た一部分解斜視図、図７は、本実施形態に係るコンテンツ再生装置の下方側から見た一部分解斜視図である。
【００８７】
筒状の筐体２０の内部には、基板３０、フレーム３１、平型バッテリ３２、スイッチ分３３および表示部１５が組み込まれる。基板３０の裏面にはフラッシュメモリ１８が取り付けられるとともに、図３で示すコントローラ６、アンプ７、メモリ９、デコーダ１１、システムゲートアレイ１２、表示制御部１４、ＵＳＢコントローラ１６等がＩＣや回路として実装されている。
【００８８】
また、基板３０の裏面側にはフレーム３１に取り付けられた平型バッテリ３２が配置される。平型バッテリ３２が蓄電池の場合にはＵＳＢ端子ｔUSBを介してパーソナルコンピュータから蓄電のための電力が供給される。基板３０の表面側には表示部１５およびスイッチ部３３が配置される。表示部１５は基板３０に実装される表示制御部１４と接続される。
【００８９】
これら基板３０、フレーム３１、平型バッテリ３２、スイッチ部３３および表示部１５が筐体２０の筒内に組み込まれた状態で、一方側の開口に第１スリーブ２３ａがはめ込まれ、他方側の開口に第２スリーブ２３ｂがはめ込まれる。
【００９０】
第１スリーブ２３ａは、筐体２０の開口端形状に合わせた一方側が筐体２０に挿入され、筐体２０から延出する他方側が円筒形となっている。すなわち、筐体２０の開口端形状を円筒形状に変換する役目を果たしている。また、筐体２０に挿入される一方側には基板３０の一端がはめ込まれ、筐体２０の内部で基板３０を支持する役目も果たす。
【００９１】
第２スリーブ２３ｂも第１スリーブ２３ａと同様に、筐体２０の開口端形状に合わせた一方側が筐体２０に挿入され、筐体２０から延出する他方側が円筒形となっている。筐体２０に挿入される一方側は基板３０の他端に取り付けられたＵＳＢ端子ｔUSBが挿入され、ＵＳＢ端子ｔUSBによる外部との接続を可能にしている。第２スリーブ２３ｂの他方側には円筒形に合わせた第２キャップ２２ｂが取り付けられ、ＵＳＢ端子ｔUSBを使用しないときの蓋となっている。
【００９２】
第１スリーブ２３ａの内側には中子スリーブ２４が挿入される。中子スリーブ２４は内部にヘッドフォン端子ｔHPを挿入した状態で第１スリーブ２３ａの内側にはめ込まれる。ヘッドフォン端子ｔHPは端子用基板２６に取り付けられ、端子用基板２６が第１スリーブ２３ａを介して基板３０と接続される。
【００９３】
また、中子スリーブ２４の外周にはコイルバネ２７が取り付けられている。このコイルバネ２７はシャトルスイッチ８ｄに対して付勢力を与えており、シャトルスイッチ８ｄが回転方向に操作され、その操作による外力がなくなった際にニュートラルポジションへ復帰できるようになっている。
【００９４】
シャトルスイッチ８ｄの内側には一対のボール付き板バネ２８が取り付けられており、第１スリーブ２３ａの外側にシャトルスイッチ８ｄが配置されることでボール付き板バネ２８のボール部分が第１スリーブ２３ａの溝と嵌合し、シャトルスイッチ８ｄの回転方向への移動規制と、軸方向への段階的な位置決めとを実現している。
【００９５】
筐体２０の上面には一部平坦部が設けられており、ここに筐体２０内に組み込まれた表示部１５が臨む穴部と、スイッチ部３３の各種スイッチが臨む穴部とが設けられている。したがって、表示部１５およびスイッチ部３３が筐体２０内に組み込まれると、表示部１５および各種スイッチは対応する穴部に合わせて配置される。
【００９６】
筐体２０の上面に設けられた一部平坦部には防水シート２１ａが取り付けられ、その上に操作部８のDISP/MENUキー８ｂ、PLAY/STOPキー８ｃ、VOL＋キー８ｅ、VOL−キー８ｆを構成するスイッチカバー８０と筐体カバー２１とが取り付けられる。スイッチカバー８０は例えばゴム系材料によってDISP/MENUキー８ｂ、PLAY/STOPキー８ｃ、VOL＋キー８ｅ、VOL−キー８ｆの部分が凸となる一体型の部材となっており、防水シート２１ａと密着することで筐体２０に設けられたスイッチ部３３のための穴部から筐体２０内部への水分浸入経路を絶つことができる。
【００９７】
このスイッチカバー８０の凸部分の内部には支柱となる電極８１が組み込まれており、スイッチカバー８０によるDISP/MENUキー８ｂ、PLAY/STOPキー８ｃ、VOL＋キー８ｅ、VOL−キー８ｆの各スイッチが押下された際に内部の電極８１を介して筐体２０内のスイッチ部３３の各対応するスイッチを動作させることができる。
【００９８】
また、筐体カバー２１は、筐体２０に設けられた表示部１５のための穴部を覆うとともにスイッチカバー８０の押さえとしても利用される。この筐体カバー２１が防水シート２１ａと密着することで筐体２０に設けられた表示部１５のための穴部から筐体２０内部への水分浸入経路を絶つことができる。
【００９９】
このような構成から成る本実施形態のコンテンツ再生装置２において、シャトルスイッチ８ｄの位置を検出する手段である磁石４０はシャトルスイッチ８ｄの内面に取り付けられ、複数のホール素子４１は端子用基板２６に取り付けられている。
【０１００】
図８は、シャトルスイッチ周辺の構成を説明する分解斜視図（その１）、図９は、シャトルスイッチ周辺の構成を説明する分解斜視図（その２）であり、各々異なる角度から見た図となっている。
【０１０１】
シャトルスイッチ８ｄの内面には、シャトルスイッチ８ｄの位置決めのためのボール付き板バネ２８と、位置検出手段の一つである磁石４０とが取り付けられている。一方、第１スリーブ２３ａ内の中子スリーブ２４に挿入されるヘッドフォン端子ｔHPを支持している端子用基板２６の下面には４つのホール素子４１が配置されている。
【０１０２】
したがって、第１スリーブ２３ａ、中子スリーブ２４および端子用基板２６に支持されるヘッドフォン端子ｔHPを組み合わせた状態で筐体２０に組み付け、さらにシャトルスイッチ８ｄを取り付けると、シャトルスイッチ８ｄ側に取り付けられる磁石４０と、筐体２０内の端子用基板２６に取り付けられる４つのホール素子４１とが対応する位置に配置される状態となる。この磁石４０と４つのホール素子４１との位置関係によって変化する磁束密度を捕らえ、シャトルスイッチ８ｄの位置を検出することになる。
【０１０３】
ここで、シャトルスイッチ８ｄが筐体２０に組み付けられると、内部のボール付き板バネ２８のボール部２８ａが第１スリーブ２３ａの山２９ａを超えて溝２９ｂに入り込む状態となる。ボール付き板バネ２８はシャトルスイッチ８ｄの内面に対向するよう２つ設けられ、これに対応して第１スリーブ２３ａには山２９ａと溝２９ｂとの組が両側に設けられている。そして、ボール付き板バネ２８のボール部２８ａは第１スリーブ２３ａ側に突出するよう付勢されることから、ボール部２８ａが溝２９ｂに入り込むことで山２９ａによって規制され、シャトルスイッチ８ｄの移動方向および移動量を限定できるようになる。
【０１０４】
本実施形態では、第１スリーブ２３ａの外周に沿った所定長さの溝２９ｂが２本と、ボール部２８ａより僅かに大きな窪み状の溝２９ｂが１つ設けられている。この合計３つの溝２９ｂのうちどの溝２９ｂにボール部２８ａが入り込むかによってシャトルスイッチ８ｄの３スライド操作の位置が決まる。
【０１０５】
また、外周に沿った所定長さの溝２９ｂにボール部２８ａが入り込むと、この溝２９ｂの長さ分だけ外周方向の移動が可能となり、これによってシャトルスイッチ８ｄの回転方向への移動が可能となる。また、窪み状の溝２９ｂにボール部２８ａが入り込むとシャトルスイッチ８ｄの回転方向への移動ができなくなる。つまり、上記外周に沿った所定長さの溝２９ｂにボール部２８ａが入り込む状態がシャトルスイッチ８ｄの３スライド操作のうちＰ２、Ｐ３と対応し、窪み状の溝２９ｂにボール部２８ａが入り込む状態がシャトルスイッチ８ｄの３スライド操作のうちＰ１と対応することになる。
【０１０６】
なお、本実施形態ではシャトルスイッチ８ｄが３スライド操作の場合を例としているが、溝２９ｂの軸方向に並ぶ個数によってスライド操作の段階数を設定することができる。また、溝２９ｂの外周方向に沿った長さによってシャトルスイッチ８ｄの回転移動量を設定することができる。また、山２９ａの高さによってスライド操作のクリック感の強弱を設定できる。つまり、山２９ａを高くするほどクリック感が強くなる。
【０１０７】
第１スリーブ２３ａ内に中子スリーブ２４が組み込まれると、第１スリーブ２３ａの切れ目から中子スリーブ２４に巻き付けてあるコイルバネ２７の両端が外方に突出する状態となる。そして、この状態でシャトルスイッチ８ｄを組み付けることで、コイルバネ２７の両端がシャトルスイッチ８ｄの内面にある凸部に引っ掛かるようになる。つまり、シャトルスイッチ８ｄを指で摘んで回転方向に移動させるとコイルバネ２７による付勢力が働き、指を離して力が解除されるとコイルバネ２７の付勢力によってシャトルスイッチ８ｄを自動的にニュートラルポジションへ戻すことができる。シャトルスイッチ８ｄの内面にはコイルバネ２７の両端が引っ掛かっているため、シャトルスイッチ８ｄをいずれの回転方向に移動させても、外力を解除することで必ずニュートラルポジションに復帰させることができる。
【０１０８】
図１０は、本実施形態のコンテンツ再生装置における上面側から見た断面図、図１１は、上面側から見たシャトルスイッチ周辺の拡大断面図、図１２は、本実施形態のコンテンツ再生装置における側面側から見た断面図、図１３は、側面側から見たシャトルスイッチ周辺の拡大断面図である。
【０１０９】
筒状の筐体２０内に基板３０等が組み込まれ、ＵＳＢ端子ｔUSB側を第２スリーブ２３ｂおよび第２キャップ２２ｂで塞ぎ、ヘッドフォン端子ｔHP側を第１スリーブ２３ａ、中子スリーブ２４、第１キャップ２２ａで塞ぐことで筐体２０の両端側での防水構造を実現している。
【０１１０】
すなわち、各図に示すハッチング付き丸印は防水のためのＯリングを示している。本実施形態では、筐体２０が筒状になっているためＯリングを用いて容易かつ確実に防水機能を実現できる。
【０１１１】
例えば、ヘッドフォン端子ｔHP側については、筐体２０の第１スリーブ２３ａとつなぎ目部分、第１スリーブ２３ａと中子スリーブ２４とのつなぎ目部分、中子スリーブ２４とヘッドフォン端子ｔHPとのつなぎ目部分にＯリングが挿入される。一方、ＵＳＢ端子ｔUSB側については、筐体２０と第２スリーブ２３ｂとのつなぎ目部分、第２スリーブ２３ｂと第２キャップ２２ｂとのつなぎ目部分にＯリングが挿入される。
【０１１２】
なお、筐体２０の表示部１５側は先に説明したように防水シート、スイッチカバー８０、筐体カバー２１によって穴部が塞がれるため、防水性を確保できる。また、シャトルスイッチ８ｄの移動は非接触で検出する構成のため、シャトルスイッチ８ｄと筐体２０との間には穴がなく、これらによって本実施形態のコンテンツ再生装置２では十分な防水性を発揮することが可能となる。
【０１１３】
また、シャトルスイッチ８ｄと筐体２０との間にリンク機構が存在せず、シャトルスイッチ８ｄがある筐体２０側のスペースを有効に利用することができる。つまり、シャトルスイッチ８ｄのためのリンク機構がない分、シャトルスイッチ８ｄの内側領域にヘッドフォン端子ｔHPやその他の回路等を組み込むことができ、コンテンツ再生装置２の高密度化および小型化を実現することができる。
【０１１４】
特に、本実施形態では、コンテンツ再生装置２の全体外形を円筒形にでき、シンプルな構成かつ防水性に優れた装置を提供することができる。また、円筒形の外形形状を生かしてアームバンドやクリップ等の保持具を取り付けてもよい。
【０１１５】
また、図１３に示すように、シャトルスイッチ８ｄの内側に配置される磁石４０の筐体２０と反対側にヨーク板４０ａを設けてもよい。ヨーク板４０ａは磁性体によって構成され、磁石４０のヨーク板４０ａ側への磁束が減少し、ホール素子４１側に高い磁束密度を与えることができる。これにより、ホール素子４１による感度を向上させることができる。また、磁石４０からコンテンツ再生装置２の外部への漏洩磁界を低減でき、他の機器へ影響を与えずに済む。さらに、外部からコンテンツ再生装置２への磁気の影響を低減でき、システム動作の安定性を向上できる。
【０１１６】
次に、シャトルスイッチの移動によるコンテンツ再生機能について説明する。図１４は、シャトルスイッチの移動と代表的なコンテンツ再生機能との対応を説明する模式図である。すなわち、図１４（ａ）に示すようにシャトルスイッチ８ｄが１段目（Ｐ１）のポジションにあると、シャトルスイッチ８ｄの回転移動は行われずセンター位置で固定となり、HOLD状態となる。HOLD状態では現在の選択された機能から変更できないようになり、誤動作を防止することができる。
【０１１７】
また、図１４（ｂ）に示すようにシャトルスイッチ８ｄが２段目（Ｐ２）のポジションにあると、シャトルスイッチ８ｄの回転移動が可能となり、センター位置に対して左回転させるとＦＦ操作（再生中はトラックの先送り、停止中はトラックの＋スキップ：頭出し）となる。回転させた後、手を離すとシャトルスイッチ８ｄはセンター（ニュートラルポジション）に戻る。したがって、１度左回転させると１トラック分送ることができ、２度左回転させると２トラック分、３度で３トラック分…というように、回転させた回数に応じてトラックを送ることができる。また、左回転させた状態を維持すると、再生中では現在再生中のトラックの先送りを行うことができ、停止中ではトラックの連続＋スキップを行うことができる。
【０１１８】
反対に、シャトルスイッチ８ｄをセンター位置に対して右回転させるとＦＲ操作（再生中はトラックの後戻し、停止中はトラックの−スキップ：頭出し）となる。回転させた後、手を離すとシャトルスイッチ８ｄはセンター（ニュートラルポジション）に戻る。したがって、１度右回転させると１トラック分戻すことができ、２度右回転させると２トラック分、３度で３トラック分…というように、回転させた回数に応じてトラックを戻すことができる。また、右回転させた状態を維持すると、再生中では現在再生中のトラックの戻しを行うことができ、停止中ではトラックの連続スキップを行うことができる。
【０１１９】
また、図１４（ｃ）に示すようにシャトルスイッチ８ｄが３段目（Ｐ３）のポジションにあると、シャトルスイッチ８ｄの回転移動が可能となり、センター位置に対して左回転させるとFolder（アルバムやプレイリスト等）の送り操作となる。回転させた後、手を離すとシャトルスイッチ８ｄはセンター（ニュートラルポジション）に戻る。したがって、１度左回転させると１Folder分送ることができ、２度左回転させると２Folder分、３度で３Folder分…というように、回転させた回数に応じてFolderを送ることができる。また、左回転させた状態を維持すると、Folderの連続送りを行うことができる。
【０１２０】
反対に、シャトルスイッチ８ｄをセンター位置に対して右回転させるとFolderの戻し操作となる。回転させた後、手を離すとシャトルスイッチ８ｄはセンター（ニュートラルポジション）に戻る。したがって、１度右回転させると１Folder分戻すことができ、２度右回転させると２Folder分、３度で３Folder分…というように、回転させた回数に応じてFolderを戻すことができる。また、右回転させた状態を維持すると、Folderの連続戻しを行うことができる。
【０１２１】
なお、以上の機能割り当ては一例であり、コンテンツ再生装置２の設計思想によって異なるものである。また、このような機能割り当てをユーザによって変更できるようにしてもよい。つまり、いくつかの割り当てパターンを予め用意しておき、ユーザの好みによって切り替えて設定できるようにすれば、使い勝手を向上できる。
【０１２２】
このようなシャトルスイッチ８ｄの位置による機能の選択は、先に説明した磁石と複数のホール素子との位置関係によって非接触で行うことができる。図１５は、磁石と複数のホール素子とを用いた位置検出の原理を説明する模式図である。可動側である磁石４０に対してＸ方向に２つ、Ｙ方向に２つのホール素子４１が固定側として配置される。ここで、Ｘ方向とはシャトルスイッチ８ｄの回転方向、Ｙ方向とはシャトルスイッチ８ｄのスライド操作方向を言う。
【０１２３】
そして、４つの固定されたホール素子４１に対し、磁石４０の位置が変化した場合、磁石４０により発生する磁束密度を４つのホール素子４１で個別に検知し、制御ＩＣ４２にて４つのホール素子４１の出力を加減し、磁石４０の位置をＸ，Ｙ座標で出力することができる。
【０１２４】
例えば、４つのホール素子４１で検出される磁束密度を図１５に示すようにＨ１〜Ｈ４とすると、Ｘ座標はＨ４−Ｈ１、Ｙ座標はＨ３−Ｈ２により演算できる。よって、ホール素子４１を筐体側、磁石４０をシャトルスイッチ側に配置することで、筐体に対するシャトルスイッチの相対位置を検知することができる。
【０１２５】
なお、図１５において４つのホール素子４１から出力される信号を受けてシャトルスイッチの位置を算出し出力する制御ＩＣ４２は、単独のＩＣとして構成しても、また図３に示すコントローラ６内で実現してもよい。
【０１２６】
図１６は、従来のシャトルスイッチの構造と、本実施形態のシャトルスイッチの構造との違いを説明する模式図である。図１６（ａ）に示す従来のシャトルスイッチ８ｄでは、筐体２０内のスイッチを機械的に動作させるため筐体２０に穴を設けてここからリンク機構を内部のスイッチまで伸ばして配置している。したがって、シャトルスイッチ８ｄとリンク機構を接続して、リンク機構を正確にスイッチまで到達させるよう組み立てる必要がある。しかも、筐体２０に穴が必要となり、ここから水分が侵入して高い防水性を実現するのが困難となる。
【０１２７】
これに対し、図１６（ｂ）に示す本実施形態のシャトルスイッチ８ｄでは、磁石４０とホール素子４１とにより非接触でシャトルスイッチ８ｄの位置を検出できるため、筐体２０に穴を設ける必要がない。つまり、閉じた筐体の中にホール素子４１を配置し、外側のシャトルスイッチ８ｄに磁石４０を配置することで、高い防水性を保ったままシャトルスイッチ８ｄの位置を検出することができる。
【０１２８】
また、磁石４０とホール素子４１との相対位置関係によって位置を検出するため、シャトルスイッチ８ｄを組み付けた際の磁石４０とホール素子４１との位置ずれがあってもホール素子４１からの検出値によるキャリブレーションを行って、この位置ずれによる検出値のずれを相殺することができる。
【０１２９】
図１７は、４つのホール素子の配置について説明する模式図である。本実施形態では、４つのホール素子４１の配置として、図１７（ａ）に示すようなシャトルスイッチ８ｄの移動の軸（Ｘ，Ｙ軸）に沿った配置（以下、菱形配置と言う。）と、図１７（ｂ）に示すようなシャトルスイッチ８ｄの移動の軸とはずれた位置に配置（以下、正方形配置と言う。）とが考えられている。
【０１３０】
４つのホール素子４１を菱形配置する場合には、４つのホール素子４１で構成される２軸と、シャトルスイッチ８ｄの移動の２軸とが一致するため、上記説明した計算式（Ｘ座標はＨ４−Ｈ１、Ｙ座標はＨ３−Ｈ２）によってそのまま位置を検出できるが、４つのホール素子４１を正方形配置すると、４つのホール素子４１で構成される２軸と、シャトルスイッチ８ｄの移動の２軸とが４５度回転するため、位置検出には別のアルゴリズムを用いる必要がある。
【０１３１】
図１８は、ホール素子の正方形配置と磁石との位置関係を説明する図で、（ａ）は上面図、（ｂ）は筐体の軸方向から見た正面図、（ｃ）は筐体の側面側から見た図である。磁石４０はシャトルスイッチの移動軸に沿って移動するため、この移動軸をＸ’、Ｙ’軸とする。これに対し、４つのホール素子４１の対向する２つを各々結ぶ軸をＸ、Ｙ軸とする。この場合、４つのホール素子４１で検出される磁束密度を図のようにＨ１〜Ｈ４とすると、Ｘ座標はＨ４−Ｈ１、Ｙ座標はＨ３−Ｈ２により演算できる。
【０１３２】
一方、Ｘ−Ｙ軸とＸ’−Ｙ’軸とは４５度回転しているため、ベクトル４５度回転の変換式Ｘ’＝１／√２×（Ｘ−Ｙ）、Ｙ’＝１／√２×（Ｘ＋Ｙ）を用い、Ｘ’＝１／√２（−Ｈ１＋Ｈ２−Ｈ３＋Ｈ４）、Ｙ’＝１／√２（−Ｈ１−Ｈ２＋Ｈ３＋Ｈ４）を導くことができる。これを演算することにより、４つのホール素子４１が正方形配置された場合の検出値より、シャトルスイッチ８ｄの軸にそった移動座標を得ることができる。
【０１３３】
図１９は、シャトルスイッチの移動座標に対する機能割り当ての一例を示す模式図である。シャトルスイッチの移動座標をＸ’−Ｙ’としてマトリクス状に区分けし、この位置に入った際の機能を割り当てる。先に説明した計算式で、Ｘ’−Ｙ’座標がどの区分けに入るかを閾値から判断し、閾値を超えた場合にその区分けに対応した機能が実行されることになる。
【０１３４】
ここで、上記閾値の決定は、筐体およびシャトルスイッチの組み立てが完了した後、図示する区分けのいくつかの位置にシャトルスイッチを移動させてＸ’−Ｙ’座標を読み取り、その機器固有の閾値を決定する。これにより、磁石の磁力のばらつきや組み付け時の位置のばらつきによる誤差を相殺することができる。
【０１３５】
また、４つのホール素子と磁石との位置関係によってシャトルスイッチの位置を検出する場合、所定のＹ座標上でのＸ軸方向検出感度と、他のＹ座標上でのＸ軸方向検出感度との差が少ないことが望ましい。このような観点から、４つのホール素子の配置として、正方形配置の方が菱形配置よりも有利である。
【０１３６】
図２０は正方形配置の場合の出力値の差を示す図、図２１は菱形配置の場合の出力値の差を示す図である。横軸は磁石のＸ方向の位置、縦軸はホール素子の出力値、パラメータは磁石のＹ方向スライド位置である。
【０１３７】
図２０に示す正方形配置の場合では、Ｙ方向スライド位置が２ｍｍの場合の感度が、Ｙ方向スライド位置０の場合の感度に対して約８７％になっている。これに対し、図２１に示す菱形配置の場合では、Ｙ方向スライド位置が２ｍｍの場合の感度が、Ｙ方向スライド位置０の場合の感度に対して約６０％になっている。つまり、正方形配置の方が菱形配置に比べてＹ方向スライド位置による感度変化が少ないことになる。これにより、４つのホール素子を正方形配置すると、菱形配置に比べて精度良くシャトルスイッチの位置を検出することが可能となる。
【産業上の利用可能性】
【０１３８】
本発明は上記実施形態で示すコンテンツ再生装置以外でも、所定の電子回路を制御するため操作子（シャトルスイッチ）を用いる電子機器（例えば、ヘッドフォンのリモートコントローラや各種機器のコントローラ）にも適用することが可能である。
【０１３９】
また、上記実施形態では、筐体２０の外周に１つのシャトルスイッチ８ｄを設ける構成を説明したが、筐体２０の外周に複数のシャトルスイッチが設けられている構成でもよく、これによって更に多くの機能選択を行うことが可能となる。
【図面の簡単な説明】
【０１４０】
【図１】本実施形態に係るコンテンツ再生装置を適用する記録再生システムの概要を示した図である。
【図２】パーソナルコンピュータ３の内部構成を示すブロック図である。
【図３】コンテンツ再生装置２の内部構成について示したブロック図である。
【図４】本実施形態に係るコンテンツ再生装置の外観斜視図である。
【図５】本実施形態に係るコンテンツ再生装置の分解斜視図である。
【図６】本実施形態に係るコンテンツ再生装置の上方側から見た一部分解斜視図である。
【図７】本実施形態に係るコンテンツ再生装置の下方側から見た一部分解斜視図である。
【図８】シャトルスイッチ周辺の構成を説明する分解斜視図（その１）である。
【図９】シャトルスイッチ周辺の構成を説明する分解斜視図（その２）である。
【図１０】本実施形態のコンテンツ再生装置における上面側から見た断面図である。
【図１１】上面側から見たシャトルスイッチ周辺の拡大断面図である。
【図１２】本実施形態のコンテンツ再生装置における側面側から見た断面図である。
【図１３】側面側から見たシャトルスイッチ周辺の拡大断面図である。
【図１４】シャトルスイッチの移動と代表的なコンテンツ再生機能との対応を説明する模式図である。
【図１５】磁石と複数のホール素子とを用いた位置検出の原理を説明する模式図である。
【図１６】従来のシャトルスイッチの構造と本実施形態のシャトルスイッチの構造との違いを説明する模式図である。
【図１７】４つのホール素子の配置について説明する模式図である。
【図１８】ホール素子の正方形配置と磁石との位置関係を説明する図である。
【図１９】シャトルスイッチの移動座標に対する機能割り当ての一例を示す模式図である。
【図２０】正方形配置の場合の出力値の差を示す図である。
【図２１】菱形配置の場合の出力値の差を示す図である。
【符号の説明】
【０１４１】
１…記録再生システム、２…コンテンツ再生装置、３…パーソナルコンピュータ、４…サーバ装置、５…ネットワーク、８ｄ…シャトルスイッチ、１１…デコーダ、１２…システムゲートアレイ、１５…表示部、１８…フラッシュメモリ、２０…筐体、２１…筐体カバー、４０…磁石、４１…ホール素子
【図１】
2008033092.tif 000003
【図２】
2008033092.tif 000004
【図３】
2008033092.tif 000005
【図４】
2008033092.tif 000006
【図５】
2008033092.tif 000007
【図６】
2008033092.tif 000008
【図７】
2008033092.tif 000009
【図８】
2008033092.tif 000010
【図９】
2008033092.tif 000011
【図１０】
2008033092.tif 000012
【図１１】
2008033092.tif 000013
【図１２】
2008033092.tif 000014
【図１３】
2008033092.tif 000015
【図１４】
2008033092.tif 000016
【図１５】
2008033092.tif 000017
【図１６】
2008033092.tif 000018
【図１７】
2008033092.tif 000019
【図１８】
2008033092.tif 000020
【図１９】
2008033092.tif 000021
【図２０】
2008033092.tif 000022
【図２１】
2008033092.tif 000023